(57)【特許請求の範囲】
【請求項１】
引戸開口部の戸先側縦枠がその見付け面部を壁仕上げ面から突出して壁躯体に取り付けられ、該見付け面部に、引戸のドアハンドルに並設して取り付けられる長尺な補助枠部材であって、
該補助枠部材は、前記壁仕上げ面から突出する見付け面部の表面に面当て取着される取付けベース部と、該取付けベースに装着される支持バーとその外周に被覆された弾性カバーとからなる断面視略凹状の被嵌部とを一体的に備えて構成し、
前記被嵌部は、その前面が壁面から段差状に離間膨出するよう、前記弾性カバーを、見付け面幅よりも広幅で、かつ、見付け面部に被嵌させた際に壁面側と開口部側の両角部を覆う内幅に設定された手掛け可能な突出幅を有して形成せしめ、
該被嵌部の全体を、壁面から突出させて前記見付け面部に弾性カバーの両端縁を被嵌させて取り付けすることで、壁面と被嵌部の前面との間に余剰スペースを形成すると共に、
該見付け面部に突出取着された被嵌部を、
開口部を出入りする際の医療機器、薬品、食品等の運搬用カートを、壁面に沿って移動する運搬姿勢から、その側面を戸先側縦枠が取り付けられた壁面側に幅寄せさせて、運搬用カートの側面を前記被嵌部に前記余剰スペースを存して弾性当接させ、該被嵌部外周を支点として開口部を通過する運搬姿勢への方向転換操作を案内補助するカート案内部と、
前記弾性カバーの両端縁を含む見付け面部の両側から膨出する外周面の幅面域全体に手を掛けて、引戸の開閉操作および前記運搬用カートの方向転換操作を補助する把持機能を有した手掛け部とに兼用可能に構成せしめたことを特徴とする引戸の戸先側縦枠における補助枠構造。
【請求項２】
請求項１において、前記補助枠部材は、それぞれ戸先側縦枠の外部側と内部側の見付け面部に取り付けられていることを特徴とする引戸の戸先側縦枠における補助枠構造。
【請求項３】
請求項１又は２において、前記弾性カバーの外周面には、手掛け時における滑り止め用の凹凸面が形成されていることを特徴とする引戸の戸先側縦枠における補助枠構造。
【請求項４】
請求項１乃至３の何れかにおいて、前記被嵌部は、その外周面が円弧状に形成されていることを特徴とする引戸の戸先側縦枠における補助枠構造。
【請求項５】
請求項１乃至４の何れかにおいて、前記取付けベース部と前記支持バーには、夫々相対応する部位に凸状部と凹状部とからなる一対の凹凸関係で構成される装着用の嵌合係止手段が設けられると共に、前記支持バーを、前記取付けベース部との間に緩衝手段を介在させた状態で、前記凸状部と凹状部が離間する隙間部を存して弾発可能に嵌合係止させることにより、前記被嵌部を、前記取付けベース部側に前記隙間部を介して押圧されるよう弾設せしめ、外部からの衝突などを受けた際に、当該衝撃力を吸収して戸先側縦枠に対して直接的に伝達させないよう押圧可能に構成したことを特徴とする引戸の戸先側縦枠における補助枠構造。
【請求項６】
請求項５において、前記取付けベース部は、前記見付け面部の表面に面当てしてビス固定される基部と、該基部の中央域から対向突設する係合内片とを有して一体形成する一方、
前記被嵌部は、前記支持バーを、前記弾性カバーを装着する裏面側が円弧状の支持面部と、該支持面部の裏面側中央域に、前記両係合内片に外嵌すべく対向突設せしめた係合外片とを有して一体成形し、
前記嵌合係止手段を、前記両係合内片を凸状部とし、前記両係合外片を凹状部として構成すると共に、
前記隙間部は、前記係合外片の先端を、前記係合内片に対し前記基部面と離間して嵌合係止せしめて形成し、
前記緩衝手段は、前記係合内片の外側先端部を円弧面に形成し、該円弧面に適合して前記支持面部と係合外片とのなす内側角部を円弧面に形成して、当該円弧面同士を面接させた状態で、前記係合内片の先端部が、前記被嵌部の押圧に抗して、前記係合外片側の円弧面に沿って内方に滑り、弾性湾曲することで衝撃を吸収するよう弾発可能に構成せしめたことを特徴とする引戸の戸先側縦枠における補助枠構造。
【請求項７】
請求項５または６において、前記取付けベース部は、前記見付け面部の表面に面当てしてビス固定される基部と、該基部の両端から外方に折曲突出して前記弾性カバーを支持受けする支持脚片を有して一体形成する一方、前記弾性カバーには、その両端縁部に、前記支持脚片に外嵌支持されるよう内方に向けて折曲されたＬ字状の被嵌脚片を一体形成し、前記緩衝手段は、前記被嵌脚片を、前記被嵌部の押圧に抗して、前記支持面部の両端と両支持脚片との間で挟み込まれ、その弾発力で衝撃を吸収するよう弾発可能に構成してあることを特徴とする引戸の戸先側縦枠における補助枠構造。
【発明の詳細な説明】
【技術分野】
【０００１】
本発明は、病院や老人施設、養護施設等における建物内の引戸開口部を出入りする際に、戸先側縦枠の見付け面部に取り付けられる補助枠部材によって、引戸の開閉操作や運搬用カートの方向転換操作を補助する引戸の戸先側縦枠における補助枠構造に関する。
【背景技術】
【０００２】
従来、病院や老人ホーム、養護施設等における建物内の引戸開口部には、開口部を出入りする手押し車、ワゴン、点滴用カート、移動寝台等の運搬用カートの衝突や擦過による損傷から縦枠を保護するために、その開口側コーナー部分に緩衝材やクッション材を設けるようにしたものが知られている（特許文献１、２参照）。
しかしながら、特許文献１のものは、Ｌ字状のベース材（２）と、ベース材（２）に装着されてその外周を覆う合成樹脂材より形成されたカバー材（３）とからなるコーナー部分の保護装置であり、特許文献２のものは、縦枠の開口側コーナー部分にＬ字状に没入する凹状の段部（４）を形成し、この凹状の段部（４）内に埋設するように、ブラケット（６）に設けられた係止突部（６ｂ）に、クッション材（８）を被着した支持材（７）の嵌合部（７ｂ）を嵌合係止して固定するドア開口部の保護構造であって、これらのものは、何れも、例えば、廊下側を走行してきた運搬用カートが、引戸開口部の出入りに伴って方向転換する際に、誤って戸先側縦枠に衝突したり、擦過したりしてしまうことを前提に、開口側縦枠のコーナー部分の損傷を保護できるに過ぎないものであった。
【０００３】
ところで、一般に、戸先側縦枠は、壁面に対してその見付け面が約５〜１０ｍｍ程度突出した状態の建付け納まりとなっており、また、この種引戸は、開戸時にドアハンドルが戸袋内に収容されず、戸先側が露出した状態で開放保持されるようになっている。このため、この様な納まり開口部を出入りする運搬用カートは、医療機器、薬品、食品等を運搬する機能に応じて、大きさや高さも異なり、運搬者が開口部への適正位置を視認できない場合いや、偏心走行車の関係や重量の関係などで意図する方向への手押し操作が狂うなど、方向転換する際に目測を誤って、開口側縦枠のコーナー部分だけでなく引戸の戸先側や壁面にも衝突したり、擦過したりして、引戸の戸先部や壁面を傷つける危惧があり、従来の保護装置や保護構造をそのまま採用しても、これらの危惧を解消することができないという問題がある。
なお、上記かっこ（）と共に付した符号は、各特許文献中で使用された符号である。
【先行技術文献】
【特許文献】
【０００４】
【特許文献１】特開２０１０−１１６７４５号公報
【特許文献２】特開平０５−０２５９７８号公報
【発明の概要】
【発明が解決しようとする課題】
【０００５】
本発明は、上記の如き問題点を一掃すべく創案されたものであって、引戸開口部を出入りする運搬用カートが、誤って戸先側縦枠のコーナー部分に衝突、擦過しても損傷を保護できるものでありながら、壁面に沿って廊下側を走行する運搬用カートの側面を、自らの認識操作により被嵌部に対し緩衝的に弾性当接できるようにし、開口部を通過する最適な位置で停止させて方向転換操作を案内補助し、或いは、カート側面を被嵌部に弾性当接させない通常の運搬姿勢からをも含め、補助枠部材を手掛けとして方向転換操作や押し引き操作の補助を行えるようにし、運搬用カートが、戸先側縦枠のコーナー部分は勿論、引戸の戸先部や壁面に対しても、誤操作により強く衝突し、擦過してしまうことを予め回避できるようにし、その損傷を未然に防止することができるだけでなく、高齢者、身体障害者、車いすに乗った者、幼児などによる引戸の開戸始動操作を補助することのできる引戸の戸先側縦枠における補助枠構造を提供することを目的とする。
【課題を解決するための手段】
【０００６】
上記課題を解決するために本発明の引戸の戸先側縦枠における補助枠構造は、引戸開口部の戸先側縦枠がその見付け面部を壁仕上げ面から突出して壁躯体に取り付けられ、該見付け面部に、引戸のドアハンドルに並設して取り付けられる長尺な補助枠部材であって、該補助枠部材は、前記壁仕上げ面から突出する見付け面部の表面に面当て取着される取付けベース部と、該取付けベースに装着される支持バーとその外周に被覆された弾性カバーとからなる断面視略凹状の被嵌部とを一体的に備えて構成し、前記被嵌部は、その前面が壁面から段差状に離間膨出するよう、前記弾性カバーを、見付け面幅よりも広幅で、かつ、見付け面部に被嵌させた際に壁面側と開口部側の両角部を覆う内幅に設定された手掛け可能な突出幅を有して形成せしめ、該被嵌部の全体を、壁面から突出させて前記見付け面部に弾性カバーの両端縁を被嵌させて取り付けすることで、壁面と被嵌部の前面との間に余剰スペースを形成すると共に、該見付け面部に突出取着された被嵌部を、開口部を出入りする際の医療機器、薬品、食品等の運搬用カートを、壁面に沿って移動する運搬姿勢から、その側面を戸先側縦枠が取り付けられた壁面側に幅寄せさせて、運搬用カートの側面を前記被嵌部に前記余剰スペースを存して弾性当接させ、該被嵌部外周を支点として開口部を通過する運搬姿勢への方向転換操作を案内補助するカート案内部と、前記弾性カバーの両端縁を含む見付け面部の両側から膨出する外周面の幅面域全体に手を掛けて、引戸の開閉操作および前記運搬用カートの方向転換操作を補助する把持機能を有した手掛け部とに兼用可能に構成せしめたことを特徴とするものである。
【発明の効果】
【０００７】
本発明は、上記のように構成したことにより、引戸開口部を出入りする運搬用カートが、誤って戸先側縦枠のコーナー部分に衝突、擦過しても損傷を保護するものでありながら、戸先側縦枠の壁仕上げ面から突出する見付け面部から全体が膨出取着された被嵌部によって、壁面と被嵌部の前面との間に余剰スペースが形成され、壁面に沿って廊下側を走行する運搬用カートの側面を、この余剰スペースを存して図５に示す運搬姿勢(2)の如く、戸先側縦枠が取り付けられた壁面側へ幅寄せさせて被嵌部に弾性当接させ、かつ、その当接操作も自らの認識をもって行うので緩衝的に行い得て、壁面に対する損傷を未然に防止して、開口部を通過する最適な位置で停止調整させることができ、当該当接状態から、被嵌部外周を支点とする方向転換操作を案内補助することが可能となるばかりか、カート側面を被嵌部に弾性当接させない通常の運搬姿勢からをも含め、弾性カバーのの両端縁を延出した幅分を加えて、見付け面部に一体性を持たせて取り付され、手掛けとしての外周幅面域を大きく設定して把持機能を向上することができ、補助枠部材を安全性が確保された手掛けとして方向転換操作や押し引き操作を補助することができる。
その結果、補助枠部材が、運搬用カートの衝突等に対する保護機能を開口部側からだけでなく、壁面側においても充足することができる衝突保護用のガード枠としての機能は勿論、方向転換操作を案内補助する当接案内枠としての機能と、その押し引き操作を補助する把持機能を有した手掛け枠としての機能を兼ね備えることができ、運搬者による方向転換操作の際に、目測を誤って押し引き操作が狂うなど、運搬用カートの誤操作による衝突を予め回避することができ、或いは衝突頻度の可及的な減少が図られると共に、開口部への適正位置を視認できない高さの運搬用カートなどを含め、引戸開口部を出入りする種々の運搬用カートをスムーズに通過操作することが可能となって、戸先側縦枠のコーナー部分だけでなく、引戸の戸先部や壁面に対しても、誤操作による強い衝突や擦過による損傷を未然に防止することができるようになり、しかも、補助枠部材がドアハンドルに並設されているので、高齢者、身体障害者、車いすに乗った者、幼児などが把持機能を有する弾性カバーに手を掛けることで、手滑りすることなく引戸の開戸始動などその開閉操作を補助することができ、安全性が確保された開閉補助用の手掛け枠としての機能をも発揮することができる。
【図面の簡単な説明】
【０００８】
【図１】閉戸状態にある引戸装置の全体正面図である。
【図２】本発明の実施形態に係る補助枠部材の取り付け状態を示す要部平断面図である。
【図３】本発明の実施形態に係る補助枠部材の取り付け状態を示す要部拡大平断面図である。
【図４】本発明の実施形態に係る補助枠部材の取り付け手順を示す平断面図である。
【図５】運搬用カートを当接案内する補助枠部材の作用説明図である。
【発明を実施するための形態】
【０００９】
以下、本発明の実施の形態を好適な実施の形態として例示する引戸の戸先側縦枠における補助枠構造を図面に基づいて詳細に説明する。
図１は、閉戸状態にある引戸装置の全体正面図であって、引戸装置１は、引戸開口部を構成するよう壁躯体に枠組みされる、前カバー付きハンガーレールを備えた上枠１２、戸先側縦枠１３、戸尻側の戸袋１４と、床面３とにより形成され、戸先側縦枠１３は、その見付け面部１３１が壁面２（壁仕上げ面）から僅かに突出するよう壁躯体に取り付けられている。引戸１１は、その上部に備えた図示しない吊り戸車をハンガーレール上に走行自在に吊持することで引戸開口部を開閉するようになっており、引戸１１が自閉式機能を備える場合には、開放した引戸１１を、任意の開戸保持装置により全開状態が保持されるように構成される。
【００１０】
引戸１１の戸先側先端面には、閉戸時に戸先側縦枠１３の見込み面１３２の中央に弾圧当接する戸先ゴム１１１が装着され、引戸１１の戸先側パネル面には、その室内・外パネルを挟んで、ステンレスパイプの中央に抗菌樹脂等で形成される把持部を有した上下方向に長尺なドアハンドル１１２が、上下の脚部を介して互いに連結固定することにより装着されている。このドアハンドル１１２は、引戸１１の全開状態において仮装線で図示したように戸袋１４内に収容されず、引戸１１の戸先側を露出した状態で開戸保持され、戸先側縦枠１３と引戸１１の戸先ゴム１１１との間に形成される全開幅が、実質的に通過可能な出入り口開口部となっている。なお、これら引戸装置の構成は概略公知である。
【００１１】
４は補助枠部材であって、該補助枠部材４は、図２、３に示すように、上枠１２から床面３から離間した長さの長尺に形成され、見付け面部１３１に取着される取付けベース部４１と、該取付けベース部４１に装着される支持バー４２とその外周に被覆された弾性カバー４３を一体的に備えた断面視略凹状（Ｕ字状を含む）の被嵌部４ａと、上下に配設されるエンドキャップ４４とで構成され、引戸１１のドアハンドル１１２に並設して、戸先側縦枠１３の見付け面部１３１の室内・外に取り付けられる。なお、補助枠部材４を、意匠的な見地から床面３と天井面に当接させて、意匠的な見地から見付け面部１３１の全長の長さ設定とすることもできるが、床面３からその下端部から、ゴミやホコリ等の掃除できるよう離間しておくことが好ましい。
【００１２】
各部の構成を、図４に示す取り付け手順と共に説明する。取付けベース部４１は、アルミ製（樹脂製であっても良い）であり、戸先側縦枠１３の見付け面部１３１の表面（見付け面）に面当てしてビス固定される基部４１１と、基部４１１の両端から外方に折曲突出して弾性カバー４３を支持受けする短尺の支持脚片４１２と、支持脚片４１２、４１２間となる基部４１１の中央域から外方に所定間隔をもって対向突出して支持バー４２を取着するための２つの長尺な係合内片４１３とにより一体成型され、それぞれの係合内片４１３には、その基端側（基部４１１側）部分の支持脚片４１２側面にく字状の係止爪４１４が、また、先端及び基端の外側（支持脚片４１２側）が円弧状に形成されている。
【００１３】
被嵌部４ａは、全体が見付け面部１３１に取り付けした際に、弾性カバー４３の前面が壁面２から段差状に離間膨出する手掛け可能な突出幅を有して形成される。
支持バー４２は、取付けベース部４１よりも薄板厚のアルミ製（樹脂製であっても良い）であり、円弧状の支持面部４２１と、該支持面部４２１の内側面中央域に係合内片４１３の対向位置に、その両側を外嵌（被嵌）するよう突出された係合外片４２２とが一体成形され、それぞれの係合外片４２２、４２２の内側面の先端部に係止爪４１４と係合するく字状の係止爪４２３が形成され、その先端及び基端の内側が円弧状に形成されている。つまり、係合内片４１３、４１３の２片が凸状部とし、係合外片４２２、４２２の２片が凹状部として機能し、両者を嵌合した際に、係止爪４１４と係止爪４２３同士が嵌合係止する、所謂、一対の凹凸関係をもって嵌合係止手段を構成するようになっている。また、係合内片４１３の先端は、その円弧状先端を支持面部４２１裏面側の円弧面に当接する状態で、係合外片４２２（係止爪４２３）の先端は、基部４１１との間に僅かな隙間部Ｓを有した状態で嵌合係止される。
【００１４】
弾性カバー４３は、硬度８０度のオレフィン系エラストマー（ＴＰＯ）樹脂製の厚肉弾性樹脂材であり、見付け面部１３１の両角部をオーバーラップ状に覆う内幅をもって、円形の円弧面を切り欠いた断面視略Ｕ字状に成形されている。弾性カバー４３の中央内周面は、支持面部４２１の円弧面と同形となっており、支持面部４２１をその両端が接触状態で挿入保持可能な円弧幅位置からそれぞれ内方に、係合外片４２２の面と僅かな隙間ができるようカバー端部側にＬ字状に折曲された一対の被嵌脚片４３１が一体形成される。
この被嵌脚片４３１は、カバー端部側が傾斜状となっており、カバー端部と共に溝状部を形成することで支持脚片４１２に被嵌される。弾性カバー４３の外観は、ドアハンドル１１２と同様に抗菌処理が施された凹凸面となっており、手掛けとして使用できるようている。
【００１５】
エンドキャップ４４は、ステンレス製（樹脂製であっても良い）であり、取付けベース部４１の上下端部の係合内片４１３間にビス固定される固定片４４１と、弾性カバー４３の外周円弧面よりも小さく適合する円弧状の蓋片４４２とにより側面視Ｌ字状に一体形成されている。
この様に構成された補助枠部材４を取り付けするには、先ず、取付けベース部４１を、所定のビス止め間隔をもって戸先側縦枠１３の見付け面部１３１の表面（見付け面）に固定する。次いで、エンドキャップ４４を、取付けベース部４１の上下端部の係合内片４１３間にビス止めした後、弾性カバー４３の被嵌脚片４３１を支持脚片４１２に被嵌すると共に、取付けベース部４１の凸状部として機能する係合内片４１３、４１３に対して、凹状部として機能するその係合外片４２２、４２２を被嵌することにより、被嵌部４ａを取付けベース部４１に組付け装着する。
このとき、両者の係止爪４１４と係止爪４２３同士が互いに接触し、その接触に抗して木槌や手ではたき込みすると、係合内片４１３よりも薄厚の係合外片４２２、４２２が拡開し、係止爪４１４と係止爪４２３同士が嵌合係止されて取り付けが完了する。
【００１６】
また、この様に組み付けられた補助枠部材４は、運搬用カート５などにより外部から衝突等の押圧負荷を受けると、通常範囲の押圧負荷は弾性カバー４３の弾発力をもって緩衝されるが、重量のある運搬用カート５などにより、さらに強い衝突（集中域や上下面域に対して）などを受けると、係合外片４２２の先端と基部４１１との間に形成された隙間部Ｓの存在により、支持面部４２１と係合外片４２２とにより形成される円弧面に沿って面接された両係合内片４１３の先端部が、当該円弧面に沿う滑り応力を受けて、両係合内片４１３が弾圧に抗してそれぞれ内側に向けて僅かに弾性湾曲するように弾発傾動され、被嵌部４ａが取付けベース部４１側に若干押圧されて揺動する緩衝手段を構成する。つまり、被嵌部４ａは、取付けベース部４１との間に、この緩衝手段が介在された状態で弾設される。
このとき、係合外片４２２の先端部も同様に、基部４１１と係合内片４１３との入隅部がＲ状に面取りされた円弧面に沿って面接されており、両係合外片４２２の先端部が、当該円弧面に沿う滑り応力を受けて、両係合外片４２２が弾圧に抗してそれぞれ外側に向けて僅かに弾性湾曲するように弾発傾動される緩衝手段を構成すると共に、支持面部４２１の端部と支持脚片４１２の端部間に接触介在された被嵌脚片４３１が、それぞれの端部間に挟み込まれる状態で弾発する緩衝手段を構成するようになっている。
【００１７】
つまり、被嵌部４ａと取付けベース部４１とは、両者間に、運搬用カート５などにより外部から強い衝突などを受けた際に、両係合内片４１３の内側に向く湾曲応力と、両係合外片４２２の外側に向く湾曲応力と、被嵌脚片４３１の支持面部４２１の端部と支持脚片４１２の端部間における挟み込み弾発力とによりそれぞれ構成される３つの緩衝手段が介在され、これら緩衝手段の共同の弾発作用により、被嵌部４ａが、隙間部Ｓを介して取付けベース部４１側に押圧揺動されるよう弾設され、その衝撃や強い衝突、振動などを吸収して減衰、緩衝することができ、戸先側縦枠１３に対して直接的に衝撃力や衝突力などが伝達することがない衝撃吸収可能なダンパー機能を備える構造となっている。なお、凸状部と凹状部との関係は逆であっても良く、その際、係合内片４１３を外側に、係合外片４２２を内側に向くよう、対面形成した円弧面に沿って滑り応力により弾性湾曲させるようにすれば良い。
【００１８】
叙述の如く構成された本発明の実施の形態において、今、廊下を走行する医療機器、薬品、食品等の運搬用カート５が引戸開口部を出入りするのであるが、本発明にかかる補助枠部材４は、壁仕上げ面から突出する見付け面部１３１の表面に面当て取着される取付けベース部４１と、該取付けベース部４１に装着せしめた支持バー４２とその外周に被覆された弾性カバー４３を一体的に備えた断面視略凹状の被嵌部４ａとで構成され、引戸開口部の戸先側縦枠１３の見付け面部１３１に、引戸のドアハンドル１１２に並設して取り付けられると共に、被嵌部４ａは、その前面が壁面２から段差状に離間膨出するよう、弾性カバー４３を、見付け面幅よりも広幅で、かつ、見付け面部１３１に被嵌させた際に壁面２側と開口部側の両角部を覆う内幅に設定された手掛け可能な突出幅を有して形成せしめ、該被嵌部４ａの全体を、壁面２から突出させて見付け面部１３１に弾性カバー４３の両端縁を被嵌させて取り付けすることで、壁面２と被嵌部４ａの前面との間に余剰スペースを形成すると共に、該見付け面部１３１に突出取着された被嵌部４ａを、開口部を出入りする際の医療機器、薬品、食品等の運搬用カート５を、壁面２に沿って廊下を移動する運搬姿勢から、その側面を戸先側縦枠１３が取り付けられた壁面２側に幅寄せさせて、運搬用カート５の側面を被嵌部４ａ（弾性カバー４３）に前記余剰スペースを存して弾性当接させ、該被嵌部４ａ（弾性カバー４３）の外周を支点として開口部を通過する運搬姿勢への方向転換操作を案内補助するカート案内部と、弾性カバー４３の両端縁を含む見付け面部１３１の両側から膨出する外周面の幅面域全体に手を掛けて、引戸１１の開閉操作および前記運搬用カート５の方向転換操作を補助する把持機能を有した手掛け部とに兼用可能に構成されている。
【００１９】
このように構成すると、引戸開口部を出入りする運搬用カート５が、誤って戸先側縦枠１３のコーナー部分に衝突、擦過しても損傷を保護できるものでありながら、戸先側縦枠１３の壁仕上げ面２から突出する見付け面部１３１から膨出する被嵌部４ａ（弾性カバー４３）によって、壁面２と被嵌部４ａの前面との間に余剰スペースが形成されるので、例えば、図５に示す作用説明図の如く、先ず、壁面２に沿って廊下側を走行する運搬用カート５の運搬姿勢(1) からその側面を、戸先側縦枠１３が取り付けられた壁面２側へ幅寄せさせて被嵌部４ａに弾性当接させる運搬姿勢(2) とする。その際の当接操作(2)は自らの認識をもって行うので緩衝的に行うことができ、壁面２に対する衝突や擦過による損傷を未然に防止して、開口部を通過する最適な位置で停止調整させることができる。次いで、その当接状態(2)から、被嵌部４ａの外周を支点とする方向転換操作(3)(4)を行い、当接状態(3)(4)にある運搬用カート５を被嵌部４ａから離間(5)し、開口部を通過する最適な運搬姿勢(5) とする運搬用カート５の操作を補助枠部材４によって案内補助することが可能となる。更に、例えば、運搬姿勢(5)の運搬用カート５を手前側に引き込み操作する際に、室内側の被嵌部４ａ（弾性カバー４３）に手を掛けてその始動を補助することができ、カート側面を被嵌部４ａに弾性当接させない通常の運搬姿勢からをも含め、弾性カバー４３の両端縁を延出した幅分を加えて、見付け面部１３１に一体性を持たせて取り付され、手掛けとしての外周幅面域を大きく設定して把持機能を向上することができ、補助枠部材４を安全性が確保された手掛けとして方向転換操作や押し引き操作を補助することができる。
【００２０】
その結果、補助枠部材４が、運搬用カート５の衝突保護用のガード枠としての機能は勿論、方向転換操作を案内補助する当接案内枠としての機能と、その押し引き操作を補助する手掛け枠としての機能を兼ね備えることができ、運搬者による方向転換操作の際に、目測を誤って押し引き操作が狂うなどによる運搬用カート５の誤操作を予め回避することができ、或いは衝突頻度の可及的な減少が図られると共に、開口部への適正位置を視認できない高さの運搬用カート５などを含め、引戸開口部を出入りする種々の運搬用カート５をスムーズに通過操作することが可能となって、戸先側縦枠１３のコーナー部分だけでなく、引戸１１の戸先部や壁面２に対しても、誤操作による強い衝突や擦過による損傷を未然に防止することができるようになり、しかも、補助枠部材４がドアハンドル１１２に並設されているので、高齢者、身体障害者、車いすに乗った者、幼児などが弾性カバー４３に手を掛けることで、手滑りすることなく引戸１１の開戸始動などその開閉操作を補助することができ、開閉補助用の手掛け枠としての機能をも発揮することができる。
【００２１】
また、被嵌部４ａは、弾性カバー４３を見付け面幅よりも広幅に設定せしめ、該弾性カバー４３によって、見付け面部１３１の壁面２側と開口部側の両角部をオーバーラップ状に覆うよう被嵌されているので、弾性カバー４３の形成幅面域を、見付け面部１３１から突出する自身の幅分だけでなく、壁面２から突出する見付け面部１３１をも利用して、弾性カバー４３の両端縁を延出した幅分を加えて設定することができ、戸先側縦枠１３との一体性を持たせて取り付けできるだけでなく、弾性カバー４３の手掛けとしての幅面域を大きく設定することができ、把持機能を向上することができる。しかも、弾性カバー４３の両側が見付け面部１３１から膨出しているので、運搬用カート５の衝突等に対する保護機能を開口部側からだけでなく壁面２側においても充足することができる。
【００２２】
また、補助枠部材４は、それぞれ戸先側縦枠１３の外部（廊下）側と内部（室内）側の見付け面部１３１に取り付けることができるので、運搬用カート５の開口部の出入りに際して、室内・外の何れの側からも、方向転換操作を案内補助する当接案内枠と、その押し引き操作を補助する手掛け枠としての機能を兼ね備えることができ、スムーズな開口部通過を補助することができるだけでなく、高齢者等による引戸１１の開戸始動などその開閉操作を補助する手掛け枠として機能することができる。
【００２３】
また、弾性カバー４３の外周面には、手掛け時における滑り止め用の凹凸面が形成されているので、その外周面を円弧状に形成するなど、ドアハンドル１１２と同様の抗菌処理が施されたデザイン化された外観形状とすることができ、把持機能や衛生面の向上、意匠性の向上が図られるだけでなく、見付け面部１３１から膨出する弾性カバー４３であっても、ドアハンドル１１２との間に統一感を与えて、弾性カバー４３を、ドアハンドル１１２と共に安全性の確保された手掛け枠であることを認識させることができる。
【００２４】
また、取付けベース部４１と支持バー４２には、夫々相対応する部位に凸状部と凹状部とからなる一対の凹凸関係で構成される装着用の嵌合係止手段が設けられると共に、支持バー４２を、取付けベース部４１との間に緩衝手段を介して、前記凸状部と凹状部が離間する隙間部Ｓを存して嵌合係止させることにより、被嵌部４ａを、取付けベース部４１に前記緩衝手段を介して弾設せしめ、外部からの衝突などを受けた際に当該衝撃を吸収するよう押圧揺動可能に構成してある。
この様に構成すると、被嵌部４ａが、運搬用カート５などにより外部から押圧負荷を受けると、通常範囲の押圧負荷は弾性カバー４３の弾発力をもって緩衝されるが、さらに強い衝突などを受けると、緩衝手段の弾発作用により、被嵌部４ａが、隙間部Ｓを介して取付けベース部４１側に押圧揺動され、その衝撃や強い衝突、振動などを吸収して減衰、緩衝することができ、戸先側縦枠１３に対して直接的に衝撃力や衝突力などが伝達することがない衝撃吸収可能なダンパーとして機能することができる。
したがって、従来のクッション材のみで衝撃を吸収するようにした特許文献２のもののように、直接面接固定されたブラケットと支持材とが、クッション材で吸収できない強い衝撃をまともに受けて、両者が衝突して座屈したり変形したりする危惧が解消され、取付けベース部４１と支持バー４２との衝突変形が防止され、補助枠部材４の耐久性を向上することができる。
【００２５】
また、取付けベース部４１は、見付け面部１３１の表面に面当てしてビス固定される基部４１１と、該基部４１１の中央域から対向突設する係合内片４１３とを有して一体形成する一方、被嵌部４ａは、支持バー４２を、弾性カバー４３を装着する裏面側が円弧状の支持面部４２１と、該支持面部４２１の裏面側中央域に、両係合内片４１３に外嵌すべく対向突設せしめた係合外片４２２とを有して一体成形し、嵌合係止手段を、両係合内片４１３、４１３を凸状部とし、両係合外片４２２，４２２を凹状部として構成すると共に、隙間部Ｓは、係合外片４２２の先端を、係合内片４１３に対し基部４１１の面と離間して嵌合係止せしめて形成し、緩衝手段は、係合内片４１３の外側先端部を円弧面に形成し、該円弧面に適合して支持面部４２１と係合外片４２２とのなす内側角部を円弧面に形成して、当該円弧面同士を面接させた状態で、係合内片４１３の先端部が、被嵌部４ａの押圧に抗して、係合外片４２２側の円弧面に沿って内方に滑り、弾性湾曲することで衝撃を吸収するよう弾発可能に構成されている。
【００２６】
この様に構成すると、被嵌部４ａを取付けベース部４１に組付け装着する際に、隙間部Ｓを介して、両者の係止爪４１４と係止爪４２３同士の接触に抗して木槌や手ではたき込み装着することができるだけでなく、被嵌部４ａが、運搬用カート５などにより外部から押圧負荷を受けると、通常範囲の押圧負荷は弾性カバー４３の弾発力をもって緩衝されるが、さらに強い衝突などを受けると、係合外片４２２の先端と基部４１１との間に形成された隙間部Ｓの存在により、支持面部４２１と係合外片４２２とにより形成される円弧面に沿って面接された両係合内片４１３の先端部が、当該円弧面に沿う滑り応力を受けて、両係合内片４１３が弾圧に抗してそれぞれ内側に向けて弾性湾曲するように弾発傾動されることとなり、その衝撃や強い衝突、振動などを吸収して減衰、緩衝することができ、戸先側縦枠１３に対して直接的に衝撃力や衝突力などが伝達することがない衝撃吸収可能なダンパー機能を備えることができ、係合内片４１３や係合外片４２２の先端が、基部４１１面や支持面部４２１面に直接衝突することが回避され、その変形が防止され、補助枠部材４の耐久性を向上することができる。
【００２７】
また、取付けベース部４１は、見付け面部１３１の表面に面当てしてビス固定される基部４１１と、該基部４１１の両端から外方に折曲突出して弾性カバー４３を支持受けする支持脚片４１２を有して一体形成する一方、弾性カバー４３には、その両端縁部に、支持脚片４１２に外嵌支持されるよう内方に向けて折曲されたＬ字状の被嵌脚片４３１を一体形成し、緩衝手段は、被嵌脚片４３１を、被嵌部４ａの押圧に抗して、支持面部４２１の両端と両支持脚片４１２、４１２との間で挟み込まれ、その弾発力で衝撃を吸収するよう弾発可能に構成してある。
この様に構成すると、被嵌脚片４３１が、支持脚片４１２に外嵌支持させて両者を一体的に組付ける弾性カバー４３の組付け片として機能させることができるだけでなく、弾性カバー４３の一部を、通常範囲の押圧負荷をその弾発力をもって緩衝する弾性機能を緩衝手段として利用することができ、上記と同様に、外部から強い衝突などを受けた際に、両係合内片４１３の内側に向く湾曲応力による緩衝手段との共同の弾発作用により、被嵌部４ａが、隙間部Ｓを介して取付けベース部４１側に押圧揺動され、その衝撃や強い衝突、振動などを吸収して減衰、緩衝することができ、戸先側縦枠１３に対して直接的に衝撃力や衝突力などが伝達することがない衝撃吸収可能なダンパー機能を備えることができ、取付けベース部４１と支持バー４２との衝突変形が防止され、補助枠部材４の耐久性を向上することができる。
【符号の説明】
【００２８】
１      引戸装置
１１    引戸
１１１  戸先ゴム
１１２  ドアハンドル
１２    上枠
１３    戸先側縦枠
１３１  見付け面部
１３２  見込み面
１４    戸袋
２      壁面
３      床面
４      補助枠部材
４１    取り付けベース部
４１１  基部
４１２  支持脚片
４１３  係合内片
４１４  係止爪
４ａ    被嵌部
４２    支持バー
４２１  支持面部
４２２  係合外片
４２３  係止爪
４３    弾性カバー
４３１  被嵌脚片
Ｓ      隙間部
４４    エンドキャップ
４４１  固定片
４４２  蓋片
５      運搬用カート
【図１】
0005994252.tif 000002
【図２】
0005994252.tif 000003
【図３】
0005994252.tif 000004
【図４】
0005994252.tif 000005
【図５】
0005994252.tif 000006